(57)【要約】  【課題】電子部品実装基板は、第１の基板端子と、第２の基板端子と、第１の基板端子および第２の基板端子の間に設けられた絶縁物とを有する基板と、第１の基板端子に接続された第１の端子と、第２の基板端子に接続された第２の端子とを有し、絶縁物上に設けられた電子部品とを備える。絶縁物は、基板の表面に対して凸状を有し、電子部品の周縁のうち第１の端子と第２の端子との間の周縁部分に対して突出している。周縁部分に対する絶縁物の突出の長さｘ、および第１の端子から第２の端子に向かう方向における電子部品の長さａが、ｘ≧ａ／４の関係を満たしている。【選択図】図３
2019156117.tif 000002
【特許請求の範囲】
【請求項１】
第１の基板端子と、第２の基板端子と、前記第１の基板端子および前記第２の基板端子の間に設けられた絶縁物とを有する基板と、
前記第１の基板端子に接続された第１の端子と、前記第２の基板端子に接続された第２の端子とを有し、前記絶縁物上に設けられた電子部品と
を備え、
前記絶縁物は、前記基板の表面に対して凸状を有し、前記電子部品の周縁のうち前記第１の端子と前記第２の端子との間の周縁部分に対して突出しており、
前記周縁部分に対する前記絶縁物の突出の長さｘ、および前記第１の端子から前記第２の端子に向かう方向における前記電子部品の長さａが、ｘ≧ａ／４の関係を満たしている電子部品実装基板。
【請求項２】
前記電子部品は、全固体電池である請求項１に記載の電子部品実装基板。
【請求項３】
前記基板は、前記第１の基板端子に前記第１の端子をはんだ付けする第１のはんだと、前記第２の基板端子に前記第２の端子をはんだ付けする第２のはんだとをさらに備え、
前記絶縁物の幅ｗは、以下の式（１）の関係を満たしている請求項１または２に記載の電子部品実装基板。
ｗ≦２×（ａ／ｃ）×（（ｃ／２）−ｂ）  ・・・（１）
（但し、ａ：前記第１の端子から前記第２の端子に向かう方向における前記電子部品の長さ、ｂ：前記絶縁物の厚み、ｃ：リフロー前の前記第１のはんだおよび前記第２のはんだの厚み）
【請求項４】
前記基板は、複数の前記第１の基板端子と、複数の前記第２の基板端子とを有し、
前記周縁部分同士が対向するように前記絶縁物上に複数の前記電子部品が設けられ、
前記絶縁物は、隣接する前記電子部品の間において、前記第１の端子から前記第２の端子に向かう方向に延設された延設部を有している請求項１から３のいずれかに記載の電子部品実装基板。
【請求項５】
第１の基板端子と、第２の基板端子と、前記第１の基板端子および前記第２の基板端子の間に設けられた絶縁物とを有する基板と、
前記第１の基板端子に接続された第１の端子と、前記第２の基板端子に接続された第２の端子とを有し、前記絶縁物上に設けられた電子部品と
を備え、
前記絶縁物は、前記基板の表面に対して凸状を有し、前記電子部品の周縁のうち前記第１の端子と前記第２の端子との間の周縁部分に対して突出しており、
前記周縁部分に対する前記絶縁物の突出の長さｘと、前記周縁部分の第１の端部から前記絶縁物の突出の位置までの距離および前記周縁部分の第２の端部から前記絶縁物の突出の位置までの距離のうち、より長い距離ｙとが、ｘ≧ｙ／２の関係を満たしている電子部品実装基板。
【請求項６】
請求項１から５のいずれかに記載の電子部品実装基板を備える電池パック。
【請求項７】
請求項１から５のいずれかに記載の電子部品実装基板を備える電子機器。
【請求項８】
請求項１から５のいずれかに記載の電子部品実装基板を備える電動車両。
【発明の詳細な説明】
【技術分野】
【０００１】
本発明は、電子部品実装基板、電池パックおよび電子機器に関する。
【背景技術】
【０００２】
基板上に電子部品を実装した電子部品実装基板が種々提案されている。例えば特許文献１では、基板上の電極パッドの間に絶縁層を設けた電子部品実装基板が提案されている。また、特許文献１には、電極と電極パッドとを接続する半田は、絶縁層に遮られるため、隣り合う電極や電極パッドの間に半田が流れるのを抑制し、電極や電極パッドの間の半田を介した電気的短絡をより確実に防止できることが記載されている。
【先行技術文献】
【特許文献】
【０００３】
【特許文献１】特開２００７−１７３６１６号公報
【発明の概要】
【発明が解決しようとする課題】
【０００４】
しかしながら、特許文献１にて提案されている電子部品実装基板では、高温高湿雰囲気下または結露等により、電子部品の周縁部分に水滴が付着した場合には、水滴の大きさによっては電極間または電極パッド間等が水滴により接続され、電蝕が発生する虞がある。【０００５】
本発明の目的は、電子部品の周縁部分に水滴が付着した場合にも、電蝕の発生を抑制することができる電子部品実装基板、それを備える電池パックおよび電子機器を提供することにある。
【課題を解決するための手段】
【０００６】
上述の課題を解決するために、第１の発明は、
第１の基板端子と、第２の基板端子と、第１の基板端子および第２の基板端子の間に設けられた絶縁物とを有する基板と、
第１の基板端子に接続された第１の端子と、第２の基板端子に接続された第２の端子とを有し、絶縁物上に設けられた電子部品と
を備え、
絶縁物は、基板の表面に対して凸状を有し、電子部品の周縁のうち第１の端子と第２の端子との間の周縁部分に対して突出しており、
周縁部分に対する絶縁物の突出の長さｘ、および第１の端子から第２の端子に向かう方向における電子部品の長さａが、ｘ≧ａ／４の関係を満たしている電子部品実装基板である。
上記構成によれば、絶縁物の突出の長さｘ、および電子部品の長さａが、ｘ≧ａ／４の関係を満たしているので、高温高湿雰囲気下または結露等により電子部品の周縁部分に水滴が付着した場合にも、絶縁物の突出の長さｘが水滴の高さ以上となる。これにより、第１の端子と第２の端子との間、または第１の基板端子と第２の基板端子との間が、水滴により接続されることを抑制できる。したがって、電蝕の発生を抑制することができる。【０００７】
第１の発明において、電子部品は全固体電池であってもよい。
上記構成によれば、全固体電池の電蝕を抑制することができる。【０００８】
第１の発明において、基板は、第１の基板端子に第１の端子をはんだ付けする第１のはんだと、第２の基板端子に第２の端子をはんだ付けする第２のはんだとをさらに備え、絶縁物２３の幅ｗは、以下の式（１）の関係を満たしていることが好ましい。
ｗ≦２×（ａ／ｃ）×（（ｃ／２）−ｂ）  ・・・（１）
（但し、ａ：第１の端子から第２の端子に向かう方向における電子部品の長さ、ｂ：絶縁物２３の厚み、ｃ：リフロー前の第１のはんだおよび第２のはんだの厚み）
上記構成によれば、絶縁物により電子部品が基板の表面に対して傾いて載置されている場合でも、第１の端子と第１のはんだとの接触、および第２の端子と第２のはんだとの接触を確保することができる。したがって、はんだ不良の発生を抑制することができる。【０００９】
第１の発明において、基板は、複数の第１の基板端子と、複数の第２の基板端子とを有し、周縁部分同士が対向するように絶縁物上に複数の電子部品が設けられ、絶縁物は、隣接する電子部品の間において、第１の端子から第２の端子に向かう方向に延設された延設部を有していることが好ましい。
上記構成によれば、高温高湿雰囲気下または結露等により電子部品の周縁部分に水滴が付着した場合にも、隣接する電子部品の間が水滴により接続されることを抑制できる。したがって、電蝕の発生を抑制することができる。【００１０】
第２の発明は、
第１の基板端子と、第２の基板端子と、第１の基板端子および第２の基板端子の間に設けられた絶縁物とを有する基板と、
第１の基板端子に接続された第１の端子と、第２の基板端子に接続された第２の端子とを有し、絶縁物上に設けられた電子部品と
を備え、
絶縁物は、基板の表面に対して凸状を有し、電子部品の周縁のうち第１の端子と第２の端子との間の周縁部分に対して突出しており、
周縁部分に対する絶縁物の突出の長さｘと、周縁部分の第１の端部から絶縁物の突出の位置までの距離および周縁部分の第２の端部から絶縁物の突出の位置までの距離のうち、より長い距離ｙとが、ｘ≧ｙ／２の関係を満たしている電子部品実装基板である。
上記構成によれば、絶縁物の突出の長さｘ、および電子部品の長さａが、ｘ≧ｙ／２の関係を満たしているので、高温高湿雰囲気下または結露等により電子部品の周縁部分に水滴が付着した場合にも、絶縁物の突出の長さｘが水滴の高さ以上となる。これにより、第１の端子と第２の端子との間、または第１の基板端子と第２の基板端子との間が、水滴により接続されることを抑制できる。したがって、電蝕の発生を抑制することができる。【００１１】
第３の発明は、第１または第２発明に係る電子部品実装基板を備える電池パックである。【００１２】
第４の発明は、第１または第２発明に係る電子部品実装基板を備える電子機器である。【００１３】
第５の発明は、第１または第２発明に係る電子部品実装基板を備える電動車両である。
【発明の効果】
【００１４】
本発明によれば、電子部品の周縁部分に水滴が付着した場合にも、電蝕が発生することができる。なお、ここに記載された効果は必ずしも限定されるものではなく、本発明中に記載されたいずれかの効果またはそれらと異質な効果であってもよい。
【図面の簡単な説明】
【００１５】
【図１】図１は、本発明の一実施形態に係る電池パックの構成を示す分解斜視図である。
【図２】図２Ａは、電子部品実装基板の構成を示す平面図である。図２Ｂは、図２ＡのIIＢ−IIＢ線に沿った断面図である。
【図３】図３Ａは、電池の側面における水滴の接触角が９０°である場合を示す拡大平面図である。図３Ｂは、電池の側面における水滴の接触角が１８０°である場合を示す拡大平面図である。
【図４】図４Ａは、はんだ不良が発生していない状態の電子部品実装基板を示す側面図である。図４Ｂは、はんだ不良が発生した状態の電子部品実装基板を示す側面図である。図４Ｃは、はんだ不良が発生しない条件を説明するための電子部品実装基板の側面図である。
【図５】図５は、電池の構成を示す断面図である。
【図６】図６は、電子部品実装基板の回路構成を示す回路図である。
【図７】図７Ａ、図７Ｂはそれぞれ、電子部品実装基板の変形例を示す平面図である。
【図８】図８Ａ、図８Ｂはそれぞれ、電子部品実装基板の変形例を示す平面図である。
【図９】図９は、電子部品実装基板の変形例を示す拡大平面図である。
【図１０】図１０は、応用例としてのリストバンド型電子機器の外観を示す斜視図である。
【図１１】図１１は、応用例としてのリストバンド型電子機器の構成を示すブロック図である。
【図１２】図１２は、応用例としてのハイブリッド車両の構成を示す概略図である。
【図１３】図１３は、応用例としての蓄電システムの構成を示す概略図である。
【発明を実施するための形態】
【００１６】
本発明の実施形態について以下の順序で説明する。
１  一実施形態
１．１  電池パックの構成
１．２  電池パックの回路構成
１．３  効果
１．４  変形例
２  応用例
２．１  応用例としてのリストバンド型電子機器
２．２  応用例としてのハイブリッド車両
２．３  応用例としての蓄電システム
【００１７】
＜１  一実施形態＞
［１．１  電池パックの構成］
本発明の一実施形態に係る電池パックは、図１に示すように、外装ケース１０と、外装ケース１０に収容された電子部品実装基板２０と、電子部品実装基板２０に接続されたケーブルコネクタ３０とを備える。
【００１８】
（外装ケース）
外装ケース１０は、一方の主面が解放された薄い箱状を有するケース本体１１と、解放された一方の主面を塞ぐように設けられた蓋部１２とを備える。ケース本体１１は、周壁部に孔部１１Ａを有し、この孔部１１Ａからケーブルコネクタ３０が外部に導出されている。外装ケース１０は、例えば、高分子樹脂または金属により構成されている。
【００１９】
（ケーブルコネクタ）
ケーブルコネクタ３０は、ケーブル３１と、ケーブル３１の一端に設けられたコネクタ３２とを備える。ケーブル３１の他端は電子部品実装基板２０に接続されている。コネクタ３２は、電子機器等に接続可能に構成されている。
【００２０】
（電子部品実装基板）
電子部品実装基板２０は、平板状のプリント回路基板（以下単に「基板」という。）２１と、基板２１の一方の面に設けられた矩形の薄板状の電池２２とを備える。基板２１は、図２Ａ、２Ｂに示すように、基板本体２１１と、基板本体２１１の一方の面に設けられたパッド（第１、第２の基板端子）２１２Ａ、２１２Ｂと、基板本体２１１の一方の面を覆うように設けられたレジスト層（保護層）２１３と、レジスト層２１３の表面のうち、パッド２１２Ａ、２１２Ｂの間に設けられた絶縁物２３とを有する。電池２２は、パッド２１２Ａ、２１２Ｂにそれぞれ接続された正極端子（第１の端子）２２Ａ、負極端子（第２の端子）２２Ｂを有し、絶縁物２３上に設けられている。
【００２１】
基板本体２１１の一方の面には、パッド２１２Ａ、２１２Ｂの他に、はんだ２４Ａ、２４Ｂ、プラス端子２５Ａ、マイナス端子２５Ｂ、保護ＩＣ（Integrated Circuit：集積回路）２６、および充放電ＦＥＴ２７が設けられている。
【００２２】
絶縁物２３は、基板２１の一方の面に対して凸状を有する。電池２２が実装された一方の面に垂直な方向から電子部品実装基板２０を平面視すると、絶縁物２３は直線状を有し、その両端は正極端子２２Ａと負極端子２２Ｂとの間の両側面（周縁部分）Ｓ１、Ｓ２に対して垂直に突出している。絶縁物２３の突出位置は、側面Ｓ１、Ｓ２の中心位置である。側面Ｓ１、Ｓ２の部分に対する絶縁物２３の突出の長さｘ、および正極端子２２Ａから負極端子２２Ｂに向かう方向における電池２２の長さａが、ｘ≧ａ／４の関係を満たしている。
【００２３】
ここで、図３Ａを参照して、絶縁物２３の突出の長さｘをｘ≧ａ／４とする理由について説明する。但し、電池２２の側面Ｓ１、Ｓ２における水滴４１の接触角は９０°であると仮定する。高温高湿雰囲気下または結露等により電池２２の側面Ｓ１、Ｓ２に水滴４１が付着した場合、付着した水滴４１の表面には表面張力が作用する。これにより、水滴４１は表面積を小さくしようとし、半球状となる。絶縁物２３により２分割された水滴４１が側面Ｓ１、Ｓ２の半分の領域に付着していると仮定した場合には、その水滴４１の半径はｒ＝（ａ／２）／２＝ａ／４となる。したがって、絶縁物２３の突出の長さｘおよび電池２２の長さａが、ｘ≧ａ／４の関係を満たしていれば、絶縁物２３の突出の長さｘが水滴４１の高さｈ以上となり、正極端子２２Ａ、負極端子２２Ｂの間が水滴４１により接続されることを抑制できる。よって、電蝕の発生を抑制することができる。例えば、電池２２のサイズが１０ｍｍ×１０ｍｍである場合には、絶縁物２３の突出の長さｘが２．５ｍｍ以上であれば、電蝕の発生を抑制することができることになる。
【００２４】
なお、電子部品実装基板に実装される一般的な電子部品（例えば電池）の表面において、水滴４１の接触角は通常９０°以下であると考えられる。したがって、上述のように絶縁物２３の突出幅を規定すれば、一般的な電子部品の電蝕の発生を抑制することが可能である。但し、図３Ｂに示すように、電池２２等の電子部品の表面において、水滴４１の接触角が９０°を超える場合でも、絶縁物２３の突出の長さｘおよび電池２２の長さａが、ｘ≧ａ／４の関係を満たしていれば、水滴４１は絶縁物２３を超えることは困難となる。したがって、電池２２等の電子部品の電蝕の発生を抑制することが可能である。なお、図３Ｂでは、極端な例として、水滴４１の接触角が１８０°となる、すなわち水滴４１が球形となる場合が示されているが、９０°を超える水滴４１の接触角はこれに限定されるものではない。
【００２５】
電蝕の発生をさらに抑制する観点からすると、絶縁物２３の突出の長さｘおよび電池２２の長さａは、ｘ≧ａ／３の関係を満たしていることが好ましく、ｘ≧ａ／２の関係を満たしていることがより好ましい。絶縁物２３の突出の長さｘの上限値は特に限定されるものではないが、例えばｘ≦ａである。
【００２６】
絶縁物２３は、例えば、熱硬化性樹脂およびエネルギー線硬化性樹脂のうちの少なくとも１種を含む。熱硬化性樹脂は、例えば、エポキシ樹脂、フェノール樹脂、不飽和ポリエステルおよびメラミン樹脂のうちの少なくとも１種を含む。エネルギー線硬化性樹脂は、紫外線硬化樹脂であることが好ましい。紫外線硬化樹脂は、ラジカル重合系およびカチオン重合系のいずれのものであってもよい。なお、絶縁物２３は、接着剤であってもよいし、シルクであってもよい。
【００２７】
絶縁物２３は、必要に応じて公知の添加剤を含んでいてもよい。例えば、絶縁物２３は、硫酸バリウム粒子または酸化チタン粒子等の顔料を含んでいてもよい。また、絶縁物２３は、帯電防止剤、熱安定剤、酸化防止剤、分散剤、難燃剤、表面調整剤（消泡剤、レベリング剤等）および可塑剤等のうちの少なくとも１種を含んでいてもよい。
【００２８】
絶縁物２３の形成方法としては、例えばシルク印刷またはインクジェット印刷等を用いることができるが、これらの方法に限定されるものではない。
【００２９】
絶縁物２３の幅ｗは、以下の式（１）の関係を満たしていることが好ましい。
ｗ≦２×（ａ／ｃ）×（（ｃ／２）−ｂ）  ・・・（１）
（但し、図４Ａに示すように、ａ：正極端子２２Ａから負極端子２２Ｂに向かう方向における電池２２の長さ、ｂ：絶縁物２３の厚み、ｃ：リフロー前のはんだペースト２４Ｃ、２４Ｄの厚み）
絶縁物２３の幅ｗが上記式（１）の関係を満たすことにより、基板２１の一方の面に対して電池２２が傾いて載置された場合にも、正極端子２２Ａとはんだペースト２４Ｃとの接触、および負極端子２２Ｂとはんだペースト２４Ｄとの接触を確保することができる。したがって、はんだ不良の発生を抑制することができる。
【００３０】
以下、上記式（１）の導出過程について説明する。ここでは、図４Ａに示すように、基板２１の一方の面に対して電池２２が傾いて載置されている場合について考える。図４Ａに示すように、絶縁物２３の幅ｗが狭い場合には、電池２２が絶縁物２３により大きく傾くことがないため、電池２２の負極端子２２Ｂがはんだペースト２４Ｄの上端に接触する。このように負極端子２２Ｂとはんだペースト２４Ｄとの接触が確保されている場合には、はんだ不良が発生することはない。一方、図４Ｂに示すように、絶縁物２３の幅ｗが広い場合には、電池２２が絶縁物２３により大きく傾いてしまうため、電池２２の負極端子２２Ｂがはんだペースト２４Ｄの上端に接触しなくなる。このように負極端子２２Ｂとはんだペースト２４Ｄとの接触が確保されていない場合には、はんだ不良が発生する。したがって、はんだ不良の発生を抑制するためには、絶縁物２３の幅ｗを適切な範囲に設定することが好ましい。
【００３１】
図４Ｃに示すように、電池２２の底面と基板２１の一方の面とのなす角をθとし、負極端子２２Ｂとはんだペースト２４Ｄとが接触を確保可能な最大のなす角θをθmaxとした場合、以下の式（２）の関係を満たせば、はんだ不良の発生を抑制することができる。
θ≦θmax  ・・・（２）
【００３２】
θ、θmaxが非常に小さい場合（例えば、はんだペースト２４Ｃ、２４Ｄの厚みｃが０．１ｍｍ程度である場合）、式（２）は以下の式（３）のように書き換えることが可能である。なお、ａ＝１ｍｍである場合にはθは６°程度であり、ａ＝１０ｍｍである場合にはθは１°程度である。
ｔａｎθ≦ｔａｎθmax  ・・・（３）
式（３）をａ、ｂ、ｘを用いて変形すると、以下の式（４）のように表される。
ｂ／（（ａ／２）−ｘ）≦ｃ／ａ  ・・・（４）
式（３）をｘについて解くと、以下の式（５）のように表される。
ｘ≦（ａ／ｃ）×（（ｃ／２）−ｂ）  ・・・（５）
式（５）の両辺を２倍することで、上記の式（１）が導出される。
【００３３】
基板本体２１１は、絶縁性を有するリジッド基板である。基板本体２１１の具体例としては、紙フェノール基板、紙エポキシ基板、ガラスコンポジット基板、ガラスエポキシ基板、テフロン（登録商標）基板、アルミナ（セラミックス）基板、低温同時焼成セラミックス（ＬＴＣＣ）基板、コンポジット基板またはハロゲンフリー基板等が挙げられるが、これの基板に限定されるものではない。
【００３４】
パッド２１２Ａ、２１２Ｂは、銅箔を所定の形状にパターニングすることにより形成されている。はんだ２４Ａ、２４Ｂはそれぞれ、正極端子２２Ａ、負極端子２２Ｂをパッド２１２Ａ、２１２Ｂにはんだ付けするためのものである。はんだ２４Ａ、２４Ｂは、例えば、ソルダーペースト等の鉛フリーはんだである。プラス端子２５Ａ、マイナス端子２５Ｂにはケーブル３１が電気的に接続される。
【００３５】
レジスト層２１３は、パッド２１２Ａ、２１２Ｂ、プラス端子２５Ａ、マイナス端子２５Ｂ、保護ＩＣ２６、および充放電ＦＥＴ２７に対応する部分に孔部を有しており、これらの各部がレジスト層２１３から露出するようになっている。レジスト層２１３は、ソルダーレジストを含み、銅箔等により構成されるパッド２１２Ａ、２１２Ｂ等の保護をすると共に、ハンダ付け時にハンダの不要な付着を抑制する。
【００３６】
（電池）
電池２２は、電子部品の一例であり、具体的にはバルク型全固体電池である。全固体電池の具体例としては、全固体リチウム電池、全固体ナトリウム電池、全固体カリウム電池、全固体マグネシウム電池または全固体カルシウム電池等が挙げられ、中でも、全固体リチウム電池が好ましいが、これらの電池に限定されるものではない。ここでは、電池２２が二次電池である場合について説明するが、電池２２は一次電池であってもよい。
【００３７】
電池２２は、図５に示すように、矩形の薄板状の電池素子２２０と、電池素子２２０の対向する端面２２０ＳＡ、２２０ＳＢにそれぞれ設けられた正極端子２２Ａ、負極端子２２Ｂとを備える。電池２２が、端面２２０ＳＡ、２２０ＳＢ以外の電池素子２２０の表面を覆う外装材（図示せず）をさらに備えていてもよい。
【００３８】
電池素子２２０は、正極層２２１と、負極層２２２Ｍ、２２２Ｎと、固体電解質２２３とを備える。負極層２２２Ｍは、その一方の主面が正極層２２１の一方の主面に対向するように設けられ、負極層２２２Ｍと正極層２２１との間には固体電解質２２３が設けられている。負極層２２２Ｎは、その一方の主面が正極層２２１の他方の主面と対向するように設けられ、負極層２２２Ｎと正極層２２１との間には固体電解質２２３が設けられている。
【００３９】
固体電解質２２３は、正極層２２１の周面の一部が電池素子２２０の端面２２０ＳＡから露出するのに対して、それ以外の周面の部分が電池素子２２０の表面から露出しないように、正極層２２１の周面を覆っている。電池素子２２０の端面２２０ＳＡから露出した正極層２２１の周面の一部が、正極端子２２Ａと接触している。
【００４０】
固体電解質２２３は、負極層２２２Ｍ、２２２Ｎの周面の一部が電池素子２２０の端面２２０ＳＢから露出するのに対して、それ以外の周面の部分が電池素子２２０の表面から露出しないように、負極層２２２Ｍ、２２２Ｎの周面を覆っている。電池素子２２０の端面２２０ＳＢから露出した負極層２２２Ｍ、２２２Ｎの周面の一部が、負極端子２２Ｂと接触している。固体電解質２２３が、負極層２２２Ｍ、２２２Ｎの他方の主面を覆っていてもよい。
【００４１】
正極層２２１は、正極集電体２２１Ａと、この正極集電体２２１Ａの両主面に設けられた正極活物質層２２１Ｂとを備える。負極層２２２Ｍ、２２２Ｎは、負極集電体２２２Ａと、この負極集電体２２２Ａの一方の主面に設けられた負極活物質層２２２Ｂとを備える。負極層２２２Ｍ、２２２Ｎは、負極活物質層２２２Ｂが正極活物質層２２２１Ｂと対向するように設けられている。
【００４２】
［１．２  電池パックの回路構成］
以下、図６を参照して、電池パックの回路構成について説明する。電池２２の正極端子２２Ａは、基板２１のプラス端子２５Ａと配線により接続されている。また、電池２２の負極端子２２Ｂは、基板２１のマイナス端子２５Ｂと配線により接続されている。
【００４３】
制御部２６は、充放電ＦＥＴ２７を制御することにより、電池２２に対する充放電動作を制御する。また、制御部２６は、充放電ＦＥＴ２７を制御することにより、充放電時に充電電圧が過大となること、負荷短絡によって過電流が流れること、および過放電が生じることがないように充放電動作を制御する。
【００４４】
充放電ＦＥＴ２７は、充電制御ＦＥＴ（Field Effect Transistor）２７Ａと、放電制御ＦＥＴ２７Ｂとを備える。充電制御ＦＥＴ２７Ａおよび放電制御ＦＥＴ２７Ｂは、制御部２６の制御に基づきオン／オフ制御される。
【００４５】
充電制御ＦＥＴ２７Ａおよび放電制御ＦＥＴ２７Ｂのドレインおよびソース間には、それぞれ寄生ダイオード２７Ｃおよび寄生ダイオード２７Ｄが接続されている。寄生ダイオード２７Ｃは、充電電流に対して逆方向で、放電電流に対して順方向極性を有する。寄生ダイオード２７Ｄは、充電電流に対して順方向で、放電電流に対して逆方向の極性を有する。
【００４６】
充電制御ＦＥＴ２７Ａおよび放電制御ＦＥＴ２７Ｂのゲートには、制御部２６からの制御信号がそれぞれ供給される。充電制御ＦＥＴ２７Ａおよび放電制御ＦＥＴ２７Ｂは、Ｐチャンネル型であり、ソース電位よりも所定値以上低いゲート電位によってオン状態となる。充放電時には、充電制御ＦＥＴ２７Ａおよび放電制御ＦＥＴ２７Ｂがオン状態とされる。
【００４７】
なお、充電制御ＦＥＴ２７Ａおよび放電制御ＦＥＴ２７ＢとしてＮチャンネル型のＦＥＴが用いられてもよい。Ｎチャンネル型のＦＥＴを用いる場合には、充電制御ＦＥＴ２７Ａおよび放電制御ＦＥＴ２７Ｂがソース電位よりも所定値以上高いゲート電位によってオン状態となる。
【００４８】
［１．３  効果］
上述の一実施形態に係る電子部品実装基板２０は、パッド２１２Ａ、２１２Ｂ、およびパッド２１２Ａ、２１２Ｂの間に設けられた絶縁物２３を有する基板２１と、パッド２１２Ａ、２１２Ｂにそれぞれ接続された正極端子２２Ａ、負極端子２２Ｂを有し、絶縁物２３上に設けられた電池２２とを備える。絶縁物２３は、基板２１の一方の面に対して凸状を有し、正極端子２２Ａ、負極端子２２Ｂの間の両側面Ｓ１、Ｓ２に対して突出している。また、両側面Ｓ１、Ｓ２からの絶縁物２３の突出の長さｘ、および正極端子２２Ａから負極端子２２Ｂに向かう方向における電池２２の長さａが、ｘ≧ａ／４の関係を満たしている。これにより、高温高湿雰囲気下または結露等により電池２２の側面Ｓ１、Ｓ２に水滴４１が付着した場合にも、絶縁物２３の突出の長さｘが水滴４１の高さｈ以上となる。これにより、正極端子２２Ａ、負極端子２２Ｂの間、またはパッド２１２Ａ、２１２Ｂの間が、水滴４１により接続されることを抑制できる。したがって、電蝕の発生を抑制することができる。
【００４９】
また、絶縁物２３は基板２１の一方の面と電池２２の裏面との間にも存在するため、電池２２の裏面に水滴４１が侵入した場合にも、正極端子２２Ａ、負極端子２２Ｂの間、またはパッド２１２Ａ、２１２Ｂの間が、水滴４１により接続されることを抑制できる。したがって、電蝕の発生を抑制できる。
【００５０】
［１．４  変形例］
上述の一実施形態では基板２１が片面基板である場合について説明したが、基板の種類はこれに限定されるものではなく、両面基板、多層基板またはビルドアップ基板等であってもよい。基板２１が両面基板である場合、両面に電池２２を備えていてもよいし、一方の面に電池２２を備えていてもよい。
上述の一実施形態では基板本体２１１がリジッド基板である場合について説明したが、基板本体２１１の種類はこれに限定されるものではなく、フレキシブル基板またはリジッドフレキシブル基板等であってもよい。
上述の一実施形態では基板２１が平らである場合について説明したが、基板２１の形状はこれに限定されるものではなく、基板２１は湾曲していてもよいし、屈曲していてもよい。
【００５１】
上述の一実施形態では外装材が外装ケース１０である場合について説明したが、外装材はこれに限定されるものではなく、ラミネートフィルム等であってもよい。
【００５２】
上述の一実施形態では電子部品実装基板２０が１つの電池２２を備える場合について説明したが、図８Ｂに示すように、複数の電池２２を備えるようにしてもよい。複数の電池２２は、互いの側面Ｓ１、Ｓ２が対向するように１つまたは２つ以上の列をなしていてもよい。この場合、電池２２が実装された一方の面に垂直な方向から電子部品実装基板２０を平面視すると、図８Ｂに示すように、１つの絶縁物２３が、１つ列をなす複数の電池２２を貫くように設けられていてもよい。但し、絶縁物２３の構成はこれに限定されるものではなく、基板２１が、複数の電池２２それぞれ対応して設けられた複数の絶縁物２３を有するようにしてもよい。
【００５３】
上述の一実施形態では電池２２が薄板状である場合について説明したが、電池２２の形状はこれに限定されるものではなく、シート状またはブロック状等であってもよい。
上述の一実施形態では電池２２の主面が矩形状である場合について説明したが、電池２２の主面の形状はこれに限定されるものではなく、円形状、楕円形状、四角形以外の多角形状または不定形状等であってもよい。
上述の一実施形態では電子部品が電池２２である場合について説明したが、電子部品の種類はこれに限定されるものではなく、基板２１に接続される少なくとも２つの端子を有する電子部品を用いることができる。電池２２以外の電子部品の具体例としては、コンデンサ、抵抗器、コイル、ダイオード、トランジスタまたはスイッチ等が挙げられるが、これらの電子部品に限定されるものではない。
【００５４】
上述の一実施形態では絶縁物２３の両端が電池２２の両側面Ｓ１、Ｓ２に対して突出している場合について説明したが、絶縁物２３の一端が電池２２の側面Ｓ１、Ｓ２のうちのいずれか一方の側面に対して突出していてもよい。
【００５５】
上述の一実施形態では絶縁物２３が基板２１の一方の面と電池２２の裏面との間にも存在する場合について説明したが、絶縁物２３が基板２１の一方の面と電池２２の裏面との間に存在しなくてもよい。但し、電池２２の裏面に水滴４１が侵入した場合にも、電蝕の発生を抑制するためには、上述の一実施形態におけるように、絶縁物２３が基板２１の一方の面と電池２２の裏面との間にも存在することが好ましい。
【００５６】
上述の一実施形態では絶縁物２３が直線状を有している場合について説明したが、絶縁物２３の形状はこれに限定されるものではない。例えば、図７Ａに示すように、側面Ｓ１、Ｓ２に対して突出した絶縁物２３の先端が、Ｔ字状に分岐していてもよい。また、図７Ｂに示すように、側面Ｓ１に対して突出した絶縁物２３の先端が直角に屈曲しＬ字状となり、側面Ｓ２に対して突出した絶縁物２３の先端が直角に屈曲し逆Ｌ字状となっていてもよい。なお、絶縁物２３の先端の屈曲の方向は、図７Ｂに示すように同一方向に限定されるものではなく、図８Ａに示すように、反対方向であってもよい。また、絶縁物２３が、先端に向かうにしたがって太くなるようにしてもよいし、細くなるようにしてもよい。また、絶縁物２３が、正弦波状または鋸歯状等の蛇行形状を有していてもよい。なお、絶縁物２３を上述のような形状にした場合には、絶縁物２３の突出の長さｘとは、側面Ｓ１、Ｓ２に対して垂直に延設された部分の長さを意味するものとする。
【００５７】
また、図８Ｂに示すように、複数の電池２２が側面Ｓ１、Ｓ２が対向するように列をなしている場合には、絶縁物２３が、列方向に隣接する電池２２の間に、正極端子２２Ａから負極端子２２Ｂに向かう方向に延設された直線状の延設部２３Ａを有するようにしてもよい。この場合、列方向に隣接する２つの電池２２の側面Ｓ１、Ｓ２の間で水滴が延設部２３Ａにより分割されるため、隣接する電池２２の正極端子２１Ａ同士または負極端子２１Ｂ同士が水滴で接続されることを抑制できる。したがって、隣接する２つの電池２２の正極端子２１Ａ間または負極端子２１Ｂ間に電位差がある場合に、隣接する２つの電池２２間において電蝕が発生することを抑制できる。なお、隣接する２つの電池２２の正極端子２１Ａ間または負極端子２１Ｂ間に電位差は、隣接する２つの電池２２の構成が異なる場合のみならず、隣接する２つの電池２２の充放電の状態および劣化の状態等の要因でも生じる場合もある。また、列方向に隣接する２つの電池２２において正極端子２１Ａと負極端子２２Ｂとが対向していてもよい。上述の延設部２３Ａを設ける構成は、このように正極端子２１Ａと負極端子２２Ｂとが対向する構成である場合に特に有効である。
【００５８】
絶縁物２３の突出の位置が側面Ｓ１、Ｓ２の中心位置である場合について説明したが、図９に示すように、絶縁物２３の突出の位置が側面Ｓ１、Ｓ２の中心位置からずれていてもよい。この場合、側面Ｓ１、Ｓ２に対する絶縁物２３の突出の長さｘと、側面Ｓ１、Ｓ２の第１の端部から絶縁物２３の突出の位置までの距離ｙおよび側面Ｓ１、Ｓ２の第２の端部から絶縁物２３の突出の位置までの距離ｚのうち、より長い距離ｙとが、ｘ≧ｙ／２の関係を満たしている。これにより、高温高湿雰囲気下または結露等により電池２２の側面Ｓ１、Ｓ２に水滴４１が付着した場合にも、正極端子２２Ａ、負極端子２２Ｂの間、またはパッド２１２Ａ、２１２Ｂの間が、水滴４１により接続されることを抑制できる。したがって、電蝕の発生を抑制することができる。
【００５９】
＜２  応用例＞
［２．１  応用例としてのリストバンド型電子機器］
以下、本発明をリストバンド型電子機器に対して適用した応用例について説明する。
リストバンド型電子機器は、スマートバンドとも呼ばれ、腕に巻き付けておくのみで、歩数、移動距離、消費カロリー、睡眠量、心拍数等の人の活動に関するデータを取得することができるものである。さらに、取得されたデータをスマートフォンで管理することもできる。さらに、メールの送受信機能を備えることもでき、例えば、メールの着信をＬＥＤ（Light Emitting Diode）ランプおよび／またはバイブレーションでユーザに知らせることができる。
【００６０】
図１０は、リストバンド型電子機器１６０１の外観を示す。電子機器１６０１は、人体に着脱自在とされる時計型のウェアラブル機器である。電子機器１６０１は、腕に装着されるバンド部１６１１と、数字、文字および図柄等を表示する表示装置１６１２と、操作ボタン１６１３とを備えている。バンド部１６１１には、複数の孔部１６１１ａと、内周面（電子機器１６０１の装着時に腕に接触する側の面）側に設けられた突起１６１１ｂとが形成されている。
【００６１】
電子機器１６０１は、使用状態においては、図１０に示すようにバンド部１６１１が略円形となるように湾曲され、孔部１６１１ａに突起１６１１ｂが挿入されて腕に装着される。突起１６１１ｂを挿入する孔部１６１１ａの位置を調整することにより、腕の太さに対応して径の大きさを調整することができる。電子機器１６０１は、使用されない状態では、孔部１６１１ａから突起１６１１ｂが取り外され、バンド部１６１１が略平坦な状態で保管される。バンド部１６１１内部には、バンド部１６１１のほぼ全体にわたってセンサー（図示せず）が設けられている。
【００６２】
図１１は、電子機器１６０１の構成を示す。電子機器１６０１は、上述した表示装置１６１２の他に、駆動制御部としてのコントローラＩＣ１６１５と、センサー１６２０と、ホスト機器１６１６と、電源としての電池パック１６１７とを備える。センサー１６２０がコントローラＩＣ１６１５を含んでいてもよい。
【００６３】
センサー１６２０は、押圧と曲げとの両方を検出可能なものである。センサー１６２０は、押圧に応じた静電容量の変化を検出し、それに応じた出力信号をコントローラＩＣ１６１５に出力する。また、センサー１６２０は、曲げに応じた抵抗値の変化（抵抗変化）を検出し、それに応じた出力信号をコントローラＩＣ１６１５に出力する。コントローラＩＣ１６１５は、センサー１６２０からの出力信号に基づき、センサー１６２０の押圧および曲げを検出し、それの検出結果に応じた情報をホスト機器１６１６に出力する。
【００６４】
ホスト機器１６１６は、コントローラＩＣ１６１５から供給される情報に基づき、各種の処理を実行する。例えば、表示装置１６１２に対する文字情報や画像情報等の表示、表示装置１６１２に表示されたカーソルの移動、画面のスクロール等の処理を実行する。
【００６５】
表示装置１６１２は、例えばフレキシブルな表示装置であり、ホスト機器１６１６から供給される映像信号や制御信号等に基づき、画面を表示する。表示装置１６１２としては、例えば、液晶ディスプレイ、エレクトロルミネッセンス（ElectroLuminescence：ＥＬ）ディスプレイ、電子ペーパー等が挙げられるが、これに限定されるものではない。
【００６６】
電池パック１６１７は、上述の一実施形態またはその変形例に係る電池パックである。なお、電子機器１６０１が、電池パック１６１７に代えて、上述の一実施形態またはその変形例における電子部品実装基板２０を備えるようにしてもよい。
【００６７】
本発明は電池を備える種々の電子機器に適用可能であり、上述の応用例で説明したリストバンド型電子機器１６０１に限定されるものではない。上述の応用例以外の電子機器としては、例えば、ノート型パーソナルコンピュータ、タブレット型コンピュータ、携帯電話（例えばスマートフォン等）、携帯情報端末（Personal Digital Assistants：ＰＤＡ）、表示装置（ＬＣＤ、ＥＬディスプレイ、電子ペーパ等）、撮像装置（例えばデジタルスチルカメラ、デジタルビデオカメラ等）、オーディオ機器（例えばポータブルオーディオプレイヤー）、ゲーム機器、ユニバーサルクレジットカード、センサーネットワーク端末、スマートウオッチ、メガネ型端末（ヘッドマウントディスプレイ（ＨＭＤ）等）、コードレスフォン子機、電子書籍、電子辞書、ラジオ、ヘッドホン、ナビゲーションシステム、メモリーカード、ペースメーカー、補聴器、電動工具、電気シェーバー、冷蔵庫、エアコン、テレビ、ステレオ、温水器、電子レンジ、食器洗い器、洗濯機、乾燥器、照明機器、玩具、医療機器、ロボット、ロードコンディショナー、信号機等が挙げられるが、これに限定されるものでなない。
【００６８】
［２．２  応用例としてのハイブリッド車両］
本発明を車両用の蓄電システムに適用した例について、図１２を参照して説明する。図１２に、本発明が適用されるシリーズハイブリッドシステムを採用するハイブリッド車両の構成を概略的に示す。シリーズハイブリッドシステムはエンジンで動かす発電機で発電された電力、あるいはそれをバッテリーに一旦貯めておいた電力を用いて、電力駆動力変換装置で走行する車である。
【００６９】
このハイブリッド車両７２００には、エンジン７２０１、発電機７２０２、電力駆動力変換装置７２０３、駆動輪７２０４ａ、駆動輪７２０４ｂ、車輪７２０５ａ、車輪７２０５ｂ、蓄電装置７２０８、車両制御装置７２０９、各種センサー７２１０、充電口７２１１が搭載されている。蓄電装置７２０８は、上述の一実施形態およびその変形例のいずれかにおける電子部品実装基板２０を備える。
【００７０】
ハイブリッド車両７２００は、電力駆動力変換装置７２０３を動力源として走行する。電力駆動力変換装置７２０３の一例は、モーターである。蓄電装置７２０８の電力によって電力駆動力変換装置７２０３が作動し、この電力駆動力変換装置７２０３の回転力が駆動輪７２０４ａ、７２０４ｂに伝達される。なお、必要な個所に直流−交流（ＤＣ−ＡＣ）あるいは逆変換（ＡＣ−ＤＣ変換）を用いることによって、電力駆動力変換装置７２０３が交流モーターでも直流モーターでも適用可能である。各種センサー７２１０は、車両制御装置７２０９を介してエンジン回転数を制御したり、図示しないスロットルバルブの開度（スロットル開度）を制御したりする。各種センサー７２１０には、速度センサー、加速度センサー、エンジン回転数センサー等が含まれる。
【００７１】
エンジン７２０１の回転力は発電機７２０２に伝えられ、その回転力によって発電機７２０２により生成された電力を蓄電装置７２０８に蓄積することが可能である。
【００７２】
図示しない制動機構によりハイブリッド車両が減速すると、その減速時の抵抗力が電力駆動力変換装置７２０３に回転力として加わり、この回転力によって電力駆動力変換装置７２０３により生成された回生電力が蓄電装置７２０８に蓄積される。
【００７３】
蓄電装置７２０８は、ハイブリッド車両の外部の電源に接続されることで、その外部電源から充電口７２１１を入力口として電力供給を受け、受けた電力を蓄積することも可能である。
【００７４】
図示しないが、二次電池に関する情報に基いて車両制御に関する情報処理を行なう情報処理装置を備えていてもよい。このような情報処理装置としては、例えば、電池の残量に関する情報に基づき、電池残量表示を行う情報処理装置等がある。
【００７５】
なお、以上は、エンジンで動かす発電機で発電された電力、或いはそれをバッテリーに一旦貯めておいた電力を用いて、モーターで走行するシリーズハイブリッド車を例として説明した。しかしながら、エンジンとモーターの出力がいずれも駆動源とし、エンジンのみで走行、モーターのみで走行、エンジンとモーター走行という３つの方式を適宜切り替えて使用するパラレルハイブリッド車に対しても本発明は有効に適用可能である。さらに、エンジンを用いず駆動モーターのみによる駆動で走行する所謂、電動車両に対しても本発明は有効に適用可能である。
【００７６】
以上、本発明に係る技術が適用され得るハイブリッド車両７２００の一例について説明した。本発明に係る技術は、以上説明した構成のうち、蓄電装置７２０８に好適に適用され得る。
【００７７】
［２．３  応用例としての蓄電システム］
本発明を住宅用の蓄電システムに適用した例について、図１３を参照して説明する。例えば住宅９００１用の蓄電システム９１００においては、火力発電９００２ａ、原子力発電９００２ｂ、水力発電９００２ｃ等の集中型電力系統９００２から電力網９００９、情報網９０１２、スマートメータ９００７、パワーハブ９００８等を介し、電力が蓄電装置９００３に供給される。これと共に、家庭内発電装置９００４等の独立電源から電力が蓄電装置９００３に供給される。蓄電装置９００３に供給された電力が蓄電される。蓄電装置９００３を使用して、住宅９００１で使用する電力が給電される。住宅９００１に限らずビルに関しても同様の蓄電システムを使用できる。
【００７８】
住宅９００１には、発電装置９００４、電力消費装置９００５、蓄電装置９００３、各装置を制御する制御装置９０１０、スマートメータ９００７、各種情報を取得するセンサー９０１１が設けられている。各装置は、電力網９００９および情報網９０１２によって接続されている。発電装置９００４として、太陽電池、燃料電池等が利用され、発電した電力が電力消費装置９００５および／または蓄電装置９００３に供給される。電力消費装置９００５は、冷蔵庫９００５ａ、空調装置９００５ｂ、テレビジョン受信機９００５ｃ、風呂９００５ｄ等である。さらに、電力消費装置９００５には、電動車両９００６が含まれる。電動車両９００６は、電気自動車９００６ａ、ハイブリッドカー９００６ｂ、電気バイク９００６ｃである。
【００７９】
蓄電装置９００３は、上述の一実施形態およびその変形例のいずれかにおける電子部品実装基板２０を備える。スマートメータ９００７は、商用電力の使用量を測定し、測定された使用量を、電力会社に送信する機能を備えている。電力網９００９は、直流給電、交流給電、非接触給電の何れか一つまたは複数を組み合わせてもよい。
【００８０】
各種のセンサー９０１１は、例えば人感センサー、照度センサー、物体検知センサー、消費電力センサー、振動センサー、接触センサー、温度センサー、赤外線センサー等である。各種センサー９０１１により取得された情報は、制御装置９０１０に送信される。センサー９０１１からの情報によって、気象の状態、人の状態等が把握されて電力消費装置９００５を自動的に制御してエネルギー消費を最小とすることができる。さらに、制御装置９０１０は、住宅９００１に関する情報をインターネットを介して外部の電力会社等に送信することができる。
【００８１】
パワーハブ９００８によって、電力線の分岐、直流交流変換等の処理がなされる。制御装置９０１０と接続される情報網９０１２の通信方式としては、ＵＡＲＴ（Universal Asynchronous Receiver-Transmitter:非同期シリアル通信用送受信回路）等の通信インターフェースを使う方法、Ｂｌｕｅｔｏｏｔｈ（登録商標）、ＺｉｇＢｅｅ（登録商標）、Ｗｉ−Ｆｉ等の無線通信規格によるセンサーネットワークを利用する方法がある。Ｂｌｕｅｔｏｏｔｈ（登録商標）方式は、マルチメディア通信に適用され、一対多接続の通信を行うことができる。ＺｉｇＢｅｅ（登録商標）は、ＩＥＥＥ（Institute of Electrical and Electronics Engineers）８０２．１５．４の物理層を使用するものである。ＩＥＥＥ８０２．１５．４は、ＰＡＮ（Personal Area Network）またはＷ（Wireless）ＰＡＮと呼ばれる短距離無線ネットワーク規格の名称である。
【００８２】
制御装置９０１０は、外部のサーバ９０１３と接続されている。このサーバ９０１３は、住宅９００１、電力会社、サービスプロバイダーの何れかによって管理されていてもよい。サーバ９０１３が送受信する情報は、例えば、消費電力情報、生活パターン情報、電力料金、天気情報、天災情報、電力取引に関する情報である。これらの情報は、家庭内の電力消費装置（例えばテレビジョン受信機）から送受信してもよいが、家庭外の装置（例えば、携帯電話機等）から送受信してもよい。これらの情報は、表示機能を持つ機器、例えば、テレビジョン受信機、携帯電話機、ＰＤＡ（Personal Digital Assistants）等に、表示されてもよい。
【００８３】
各部を制御する制御装置９０１０は、ＣＰＵ（Central Processing Unit）、ＲＡＭ（Random Access Memory）、ＲＯＭ（Read Only Memory）等で構成され、この例では、蓄電装置９００３に格納されている。制御装置９０１０は、蓄電装置９００３、家庭内発電装置９００４、電力消費装置９００５、各種センサー９０１１、サーバ９０１３と情報網９０１２により接続され、例えば、商用電力の使用量と、発電量とを調整する機能を有している。なお、その他にも、電力市場で電力取引を行う機能等を備えていてもよい。
【００８４】
以上のように、電力が火力発電９００２ａ、原子力発電９００２ｂ、水力発電９００２ｃ等の集中型電力系統９００２のみならず、家庭内発電装置９００４（太陽光発電、風力発電）の発電電力を蓄電装置９００３に蓄えることができる。したがって、家庭内発電装置９００４の発電電力が変動しても、外部に送出する電力量を一定にしたり、または、必要なだけ放電するといった制御を行うことができる。例えば、太陽光発電で得られた電力を蓄電装置９００３に蓄えると共に、夜間は料金が安い深夜電力を蓄電装置９００３に蓄え、昼間の料金が高い時間帯に蓄電装置９００３によって蓄電した電力を放電して利用するといった使い方もできる。
【００８５】
なお、この例では、制御装置９０１０が蓄電装置９００３内に格納される例を説明したが、スマートメータ９００７内に格納されてもよいし、単独で構成されていてもよい。さらに、蓄電システム９１００は、集合住宅における複数の家庭を対象として用いられてもよいし、複数の戸建て住宅を対象として用いられてもよい。
【００８６】
以上、本発明の実施形態およびその変形例について具体的に説明したが、本発明は、上述の実施形態およびその変形例に限定されるものではなく、本発明の技術的思想に基づく各種の変形が可能である。
【００８７】
例えば、上述の実施形態およびその変形例において挙げた構成、方法、工程、形状、材料および数値等はあくまでも例に過ぎず、必要に応じてこれと異なる構成、方法、工程、形状、材料および数値等を用いてもよい。
【００８８】
また、上述の実施形態およびその変形例の構成、方法、工程、形状、材料および数値等は、本発明の主旨を逸脱しない限り、互いに組み合わせることが可能である。
【符号の説明】
【００８９】
１０  外装ケース
１１  ケース本体
１１Ａ  孔部
１２  蓋部
２０  電子部品実装基板
２１  プリント回路基板
２２  電池（電子部品）
２２Ａ  正極端子（第１の端子）
２２Ｂ  負極端子（第２の端子）
２３  絶縁物
２３Ａ  延設部
２４Ａ、２４Ｂ  はんだ
２４Ｃ、２４Ｄ  リフロー前のはんだペースト
２５Ａ  プラス端子
２５Ｂ  マイナス端子
２６  制御部
２７  充放電ＦＥＴ
２７Ａ  充電制御ＦＥＴ
２７Ｂ  放電制御ＦＥＴ
２７Ｃ、２７Ｄ  寄生ダイオード
３０  ケーブルコネクタ
３１  ケーブル
３２  コネクタ
４１  水滴
２１１  基板本体
２１２Ａ、２１２Ｂ  パッド（第１、第２の基板端子）
２１３  レジスト層
２２１  正極層
２２１Ａ  正極集電体
２２１Ｂ  正極活物質層
２２２Ｍ、２２２Ｎ  負極層
２２２Ａ  負極集電体
２２２Ｂ  負極活物質層
２２３  固体電解質
１６０１  リストバンド型電子機器
７２００  ハイブリッド車両
９１００  蓄電システム
Ｓ１、Ｓ２  側面（周縁部分）
２２０ＳＡ、２２０ＳＢ  端面
【図１】
2019156117.tif 000003
【図２】
2019156117.tif 000004
【図３】
2019156117.tif 000005
【図４】
2019156117.tif 000006
【図５】
2019156117.tif 000007
【図６】
2019156117.tif 000008
【図７】
2019156117.tif 000009
【図８】
2019156117.tif 000010
【図９】
2019156117.tif 000011
【図１０】
2019156117.tif 000012
【図１１】
2019156117.tif 000013
【図１２】
2019156117.tif 000014
【図１３】
2019156117.tif 000015
【国際調査報告】
2019156117.tif 000016
2019156117.tif 000017
2019156117.tif 000018